(57)【要約】【課題】ＩＰ網に接続されるＩＰ電話交換機やＩＰ電話端末等の通信装置に対するホスト名の付与を自動で行うことのできる電話交換装置を提供する。【解決手段】ＩＰ電話交換機ＥＸ１において、例えばホスト名情報が未登録のＩＰ電話交換機ＥＸ２からホスト名管理テーブルに対する登録要求を受信した時に、予め複数のホスト名情報が登録されたホスト名登録テーブルの中の空きのホスト名情報を読み出すことでＩＰ電話交換機ＥＸ２のホスト名情報を自動で生成し、このホスト名情報をＩＰ電話交換機ＥＸ２の機器名、ＭＡＣアドレス及びＩＰアドレスに対応付けてホスト名管理テーブルに登録するようにしている。【選択図】      図６
2010178141.tif 000002
【特許請求の範囲】
【請求項１】
複数の通信装置が接続されるＩＰ(Internet Protocol)網を接続可能で、かつ前記複数の通信装置の各々に対応してホスト名情報が登録された管理テーブルを備え、この管理テーブルに基づいて前記複数の通信装置に対し所定の通信処理を実行させる電話交換装置において、
任意の通信装置について前記管理テーブルに対する登録要求が発生した時に、所定の条件に従ってホスト名情報を自動的に生成するホスト名生成手段と、
このホスト名生成手段により生成されたホスト名情報を該当する通信装置に対応付けて前記管理テーブルに登録する登録制御手段とを具備したことを特徴とする電話交換装置。
【請求項２】
前記登録制御手段は、前記登録要求に任意の通信装置を特定するＭＡＣ(Media Access Control)アドレスが付加されている時、前記ホスト名生成手段により生成されたホスト名情報と前記登録要求の受信時に得られるＭＡＣアドレスとを該当する通信装置に対応付けて前記管理テーブルに登録することを特徴とする請求項１記載の電話交換装置。
【請求項３】
前記ホスト名生成手段は、前記登録要求が発生した時に、当該登録要求に付加されているＭＡＣアドレスと同一のＭＡＣアドレスが前記管理テーブルに登録されているか否かを判断し、同一のＭＡＣアドレスが無い場合には所定の条件に従ってホスト名情報を自動的に生成し、同一のＭＡＣアドレスが有る場合には前記管理テーブル中の該ＭＡＣアドレスに対応するホスト名情報を用いることを特徴とする請求項２記載の電話交換装置。
【請求項４】
前記ホスト名生成手段により生成されたホスト名情報を前記任意の通信装置に通知する通知手段をさらに備えたことを特徴とする請求項１記載の電話交換装置。
【請求項５】
前記ホスト名生成手段は、前記条件の判断に、日時、予め複数のホスト名情報が登録されたホスト名登録テーブルの中の空きのホスト名情報のうち、少なくとも１つを用いることを特徴とする請求項１記載の電話交換装置。
【請求項６】
複数の通信装置が接続されるＩＰ(Internet Protocol)網を接続可能で、かつ前記複数の通信装置の各々に対応してホスト名情報が登録された管理テーブルを備え、この管理テーブルに基づいて前記複数の通信装置に対し所定の通信処理を実行させる電話交換装置で使用されるホスト名情報割り当て方法において、
任意の通信装置について前記管理テーブルに対する登録要求が発生した時に、所定の条件に従ってホスト名情報を自動的に生成し、
この生成されたホスト名情報を該当する通信装置に対応付けて前記管理テーブルに登録するようにしたことを特徴とするホスト名情報割り当て方法。
【発明の詳細な説明】
【技術分野】
【０００１】
この発明は、例えばＩＰ(Internet Protocol)電話システムに用いられる電話交換装置、及びこの電話交換装置においてＩＰ網に接続される各電話端末や公衆網を接続するゲートウェイ等に対しホスト名を割り当てるホスト名情報割り当て方法に関する。
【背景技術】
【０００２】
近年、ＬＡＮ(Local Area Network)やインターネット等のＩＰ網を介して、双方向に画像や音声をパケットデータとして、リアルタイムに送受信するＩＰ電話システムが普及し始めている。このＩＰ電話システムでは、ＩＰ網に複数のＩＰ電話交換機を設置して、これらＩＰ電話交換機を１つのシステムとして運用するＩＰ電話交換システムが構築されている。この種のシステムでは、各ＩＰ電話交換機ごとにＩＰ電話端末相互間及びＩＰ電話端末と公衆網との間でマルチメディア情報通信を行なえることはもちろんのこと、異なるＩＰ電話交換機間でのＩＰ電話端末相互間及びＩＰ電話端末と公衆網との間のマルチメディア情報通信を行なうことができる。
【０００３】
ところで、この種のシステムでは、個々のＩＰ電話交換機をシステム内で動作させるために、保守者が個々のＩＰ電話交換機に対して、システム内でユニークとなるホスト名を付与する必要がある。このホスト名の付与は、保守者が個々のＩＰ電話交換機に手動で登録したり、ＤＨＣＰ（Dynamic Host Configuration Protocol）サーバやＤＮＳ（Domain Name System）サーバに手動で登録することにより行っている。
【０００４】
このため、ホスト名の登録に多くの時間と労力を必要とし、しかも登録作業の大半が人手により行われるため、人為的ミスが発生することも多い。このことは、システムを構成する機器が増えれば増えるほど顕著となり非常に好ましくない。
【０００５】
なお、関連する技術として、サーバと複数のクライアントからなるシステムにおいて、クライアントがサーバと接続されたとき、サーバはクライアントのＩＰアドレスに対応する端末ホスト名に含まれる端末識別番号をクライアントへ通知して取得させる手法が提案されている（例えば、特許文献１）。
【先行技術文献】
【特許文献】
【０００６】
【特許文献１】特開平１１−１２７１７５公報
【発明の概要】
【発明が解決しようとする課題】
【０００７】
ところで、上記手法は、予めサーバに登録されたクライアントが接続されたときに、クライアントに対して登録済みの端末ホスト名を付与するものであり、ホスト名が未登録のクライアントの接続に対しては保守者が手動で登録しなければならない。
【０００８】
そこで、この発明の目的は、ＩＰ網に接続されるＩＰ電話交換機やＩＰ電話端末等の通信装置に対するホスト名の付与を自動で行うことのできる電話交換装置及びこの電話交換装置で使用されるホスト名情報割り当て方法を提供することにある。
【課題を解決するための手段】
【０００９】
上記目的を達成するために、この発明に係る電話交換装置は、複数の通信装置が接続されるＩＰ(Internet Protocol)網を接続可能で、かつ複数の通信装置の各々に対応してホスト名情報が登録された管理テーブルを備え、この管理テーブルに基づいて複数の通信装置に対し所定の通信処理を実行させる電話交換装置において、任意の通信装置について管理テーブルに対する登録要求が発生した時に、所定の条件に従ってホスト名情報を自動的に生成するホスト名生成手段と、このホスト名生成手段により生成されたホスト名情報を該当する通信装置に対応付けて管理テーブルに登録する登録制御手段とを備えるようにしたものである。なお、ホスト名生成手段は、条件の判断に、日時、予め複数のホスト名情報が登録されたホスト名登録テーブルの中の空きのホスト名情報のうち、少なくとも１つを用いる。
【００１０】
この構成によれば、例えばホスト名情報が未登録の通信装置について管理テーブルに対する登録要求が発生した時に、日時、予め複数のホスト名情報が登録されたホスト名登録テーブルの中の空きのホスト名情報の少なくとも１つを用いてホスト名情報が自動で生成され、このホスト名情報が未登録の通信装置に対応付けて管理テーブルに登録される。
【００１１】
従って、ＤＨＣＰサーバ等への手動での登録も最小限で済み、これによりシステムの構築が容易となる。
【００１２】
登録制御手段は、登録要求に任意の通信装置を特定するＭＡＣ(Media Access Control)アドレスが付加されている時、ホスト名生成手段により生成されたホスト名情報と登録要求の受信時に得られるＭＡＣアドレスとを該当する通信装置に対応付けて管理テーブルに登録する。ホスト名生成手段は、登録要求が発生した時に、当該登録要求に付加されているＭＡＣアドレスと同一のＭＡＣアドレスが管理テーブルに登録されているか否かを判断し、同一のＭＡＣアドレスが無い場合には所定の条件に従ってホスト名情報を自動的に生成し、同一のＭＡＣアドレスが有る場合には管理テーブル中の該ＭＡＣアドレスに対応するホスト名情報を用いる。
【００１３】
この構成によれば、登録要求に任意の通信装置のＭＡＣアドレスが付加されている場合に、ホスト名情報とＭＡＣアドレスとを該当する通信装置に対応付けて管理テーブルに登録するようにしているので、登録要求を行うごとに同一のＭＡＣアドレスが管理テーブルに登録されているか否かを判断でき、同一のＭＡＣアドレスが無い場合には所定の条件に従ってホスト名情報を自動的に生成し、一方同一のＭＡＣアドレスが有る場合には管理テーブル中の該ＭＡＣアドレスに対応するホスト名情報を用いるというように、登録要求を行う通信装置ごとに適切なホスト名情報の付与を行うことができる。
【００１４】
ホスト名生成手段により生成されたホスト名情報を任意の通信装置に通知する通知手段をさらに備える。
【００１５】
この構成によれば、任意の通信装置において、登録されたホスト名情報を確認することができ、このホスト名情報を記録しておくことで、次回の登録時にはその記録したホスト名情報を用いることができる。
【発明の効果】
【００１６】
以上のようにこの発明によれば、ＩＰ網に接続されるＩＰ電話交換機やＩＰ電話端末等の通信装置に対するホスト名の付与を自動で行うことのできる電話交換装置及びこの電話交換装置で使用されるホスト名情報割り当て方法を提供することができる。
【図面の簡単な説明】
【００１７】
【図１】この発明に係わるＩＰ電話交換機システムの第１の実施形態を示す概略構成図。
【図２】この発明の第１の実施形態に係わるＩＰ電話交換機の機能構成を示すブロック図。
【図３】上記図２に示したホスト名管理テーブルの記憶内容の一例を示す図。
【図４】上記図２に示したホスト名登録テーブルの記憶内容の一例を示す図。
【図５】同第１の実施形態によるシステム構築の動作を説明するために示すシーケンス図。
【図６】同第１の実施形態におけるシステム登録時のＤＨＣＰ／ＤＮＳサーバＳＶと、保守用ＩＰ電話交換機と、ホスト名が未登録のＩＰ電話交換機との間の情報の通信動作を示すシーケンス図。
【図７】システム登録時のＩＰ電話交換機の制御部の制御処理手順を示すフローチャート。
【図８】この発明の第２の実施形態として、ＩＰ電話交換機の機能構成を示すブロック図。
【図９】同第２の実施形態におけるホスト名管理テーブルの記憶内容の一例を示す図。
【発明を実施するための形態】
【００１８】
以下、この発明の実施形態について図面を参照して詳細に説明する。  
（第１の実施形態）  
図１は、この発明に係わるＩＰ電話交換機システムの第１の実施形態を示す概略構成図である。
【００１９】
このシステムは、ＩＰ網１を有する。このＩＰ網１には通信装置からなるＩＰ電話端末Ｔ１〜Ｔｎ，保守用端末ＰＣ１が接続されている。また、ＩＰ網１には、通信装置からなるエンドポイントＥＰ１，ＥＰ２が接続されている。エンドポイントＥＰ１は、ＩＰ網１と公衆網ＰＮＷとの間を接続するもので、ＩＰ網１と公衆網ＰＮＷとの間における通信プロトコル及び信号フォーマットの変換機能を備えている。エンドポイントＥＰ２は、ＩＰ網１と標準電話機ＡＰ１との間を接続するもので、ＩＰ網１と標準電話機ＡＰ１との間における通信プロトコル及び信号フォーマットの変換機能を備えている。
【００２０】
また、ＩＰ網１にはＩＰ電話交換機ＥＸ１，ＥＸ２，ＥＸ３が接続されている。これらＩＰ電話交換機ＥＸ１，ＥＸ２，ＥＸ３は、ＩＰ電話端末Ｔ１〜Ｔｎ，保守用端末ＰＣ１及びエンドポイントＥＰ１，ＥＰ２に対する交換制御機能を有している。
【００２１】
さらに、ＩＰ網１にはＤＨＣＰ／ＤＮＳサーバＳＶが接続されている。このＤＨＣＰ／ＤＮＳサーバＳＶは、ＩＰ電話交換機ＥＸ１，ＥＸ２，ＥＸ３、ＩＰ電話端末Ｔ１〜Ｔｎ，保守用端末ＰＣ１及びエンドポイントＥＰ１，ＥＰ２に対するＩＰアドレスの割り当て機能と、ＩＰ電話交換機ＥＸ１，ＥＸ２，ＥＸ３、ＩＰ電話端末Ｔ１〜Ｔｎ，保守用端末ＰＣ１及びエンドポイントＥＰ１，ＥＰ２に割り当てたアドレスの管理機能とを有している。
【００２２】
アドレス管理機能は、例えばＩＰ電話交換機ＥＸ１，ＥＸ２，ＥＸ３、ＩＰ電話端末Ｔ１〜Ｔｎ，保守用端末ＰＣ１及びエンドポイントＥＰ１，ＥＰ２に割り当ててある識別情報と、固定ネットワークアドレスとしてのＭＡＣ（Media Access Control）アドレスと、ＩＰ電話交換機ＥＸ１，ＥＸ２，ＥＸ３、ＩＰ電話端末Ｔ１〜Ｔｎ，保守用端末ＰＣ１及びエンドポイントＥＰ１，ＥＰ２に対しその立ち上がり時に割り当てられる可変ネットワークアドレスとしてのＩＰアドレスの管理をそれぞれ行う。なお、上記ＩＰ電話交換機ＥＸ１，ＥＸ２，ＥＸ３、ＩＰ電話端末Ｔ１〜Ｔｎ，保守用端末ＰＣ１及びエンドポイントＥＰ１，ＥＰ２に対するＩＰアドレスの割り当ては、現在広く用いられているＤＨＣＰを用いて行う。
【００２３】
ところで、上記ＩＰ電話交換機ＥＸ１，ＥＸ２，ＥＸ３のうちＩＰ電話交換機ＥＸ１は、保守用ＩＰ電話交換機として機能する。また、上記ＩＰ電話交換機ＥＸ１は、この発明に係わる機能として次のような機能を有している。図２はその構成を示すブロック図である。
【００２４】
すなわち、ＩＰ電話交換機ＥＸ１は、ＩＰ網インタフェース部１１と、制御部１２と、記憶部１３とを備えている。このうち、ＩＰ網インタフェース部１１は、ＩＰ網１との間でインタフェース処理を行うものである。
【００２５】
記憶部１３は、上記制御部１２の接続制御に必要なルーティング情報等を格納するとともに、ホスト名管理テーブル１３１と、ホスト名登録テーブル１３２とを設けられる。
【００２６】
ホスト名管理テーブル１３１には、図３に示す如く、ＩＰ電話交換機ＥＸ２，ＥＸ３、ＩＰ電話端末Ｔ１〜Ｔｎ，保守用端末ＰＣ１及びエンドポイントＥＰ１，ＥＰ２を示す機器名と、ＭＡＣアドレスと、ＩＰアドレスと、ＩＰ電話交換機ＥＸ２，ＥＸ３、ＩＰ電話端末Ｔ１〜Ｔｎ，保守用端末ＰＣ１及びエンドポイントＥＰ１，ＥＰ２に対し付与されるホスト名との対応関係を表すデータが記憶されている。
【００２７】
ホスト名登録テーブル１３２には、図４に示す如く、予め作成した「Exchange 1」、「Exchange 2」を表すホスト名と、そのホスト名の使用状況との対応関係を表すデータが記憶されている。
【００２８】
一方、制御部１２は、この発明に係わる新たな機能として、ホスト名生成制御部１２１と、ホスト名登録制御部１２２と、ホスト名通知部１２３とを備えている。
【００２９】
ホスト名生成制御部１２１は、例えばＩＰ電話交換機ＥＸ２についてのホスト名管理テーブル１３１に対する登録要求が発生した時に、登録要求にホスト名が含まれていない場合に、登録要求に含まれているＭＡＣアドレスに基づいて、ホスト名管理テーブル１３１を参照する。そして、同一のＭＡＣアドレスがホスト名管理テーブル１３１上に存在しない場合に、ホスト名登録テーブル１３２を参照して、空きのホスト名「Exchange 1」を使用する。以後、ホスト名登録テーブル１３２のホスト名「Exchange 1」に対応する使用状況を「空き」から「使用中」に更新する。
【００３０】
ホスト名登録制御部１２２は、上記ホスト名生成制御部１２１により生成されたホスト名情報「Exchange 1」をＩＰ電話交換機ＥＸ２の機器名、ＭＡＣアドレス及びＩＰアドレスに対応付けてホスト名管理テーブル１３１に登録する。
【００３１】
ホスト名通知部１２３は、上記ホスト名生成制御部１２１により生成されたホスト名情報をＩＰ電話交換機ＥＸ２に通知する。
【００３２】
次に、以上のように構成されたＩＰ電話交換機システムの動作を説明する。  
図５は、この第１の実施形態によるシステム構築の動作を説明するために示すシーケンス図である。
【００３３】
例えば、保守用端末ＰＣ２のオペレータが、保守用端末ＰＣ２を操作してＩＰ電話交換機ＥＸ１へのホスト名やシステムの保守用ＩＰ交換機としての設定を行ったとする（図５（１））。そうすると、ＩＰ電話交換機ＥＸ１は、ＤＨＣＰ／ＤＮＳサーバＳＶへアクセスして、ＩＰアドレスの取得とＩＰ電話交換機ＥＸ１の情報の登録とを行う（図５（２））。
【００３４】
続いて、ＩＰ電話交換機ＥＸ２は、ＤＨＣＰ／ＤＮＳサーバＳＶへアクセスして、ＩＰアドレスの取得と保守用ＩＰ電話交換機であるＩＰ電話交換機ＥＸ１の情報の取得とを行う（図５（３））。そして、ＩＰ電話交換機ＥＸ２は、ＩＰ電話交換機ＥＸ１への登録要求を送出する（図５（４））。
【００３５】
以後、ＩＰ電話交換機ＥＸ１は、ＤＨＣＰ／ＤＮＳサーバＳＶへアクセスして、ＩＰ電話交換機ＥＸ２のホスト名を通知し（図５（５））、ＩＰ電話交換機ＥＸ２に対しホスト名の付与と登録の通知を行う（図５（６））。
【００３６】
なお、ＩＰ電話交換機ＥＸ３、ＩＰ電話端末Ｔ１〜Ｔｎ，保守用端末ＰＣ１及びエンドポイントＥＰ１，ＥＰ２についてもＩＰ電話交換機ＥＸ２と同様に図５（３）から図５（６）の流れでシステムへの登録が行われ、各機器のシステムへの登録が完了後、保守用端末ＰＣ１をＩＰ網１経由でＩＰ電話交換機ＥＸ１へ接続し、ＩＰ電話交換機ＥＸ１へ集まった各機器の情報でシステムの構築を行う。例えば、エンドポイントＥＰ１をＩＰ電話交換機ＥＸ２、エンドポイントＥＰ２をＩＰ電話交換機ＥＸ３への収容を行う。
【００３７】
次に、図６は、ＩＰ電話交換機ＥＸ２におけるシステム登録時のＤＨＣＰ／ＤＮＳサーバＳＶと、ＩＰ電話交換機ＥＸ１と、ＩＰ電話交換機ＥＸ２との間の情報の通信動作を示すシーケンス図である。図７は、ＩＰ電話交換機ＥＸ２におけるシステム登録時のＩＰ電話交換機ＥＸ１の制御部１２の制御処理手順を示すフローチャートである。
【００３８】
まず、ＩＰ電話交換機ＥＸ２は、ＤＨＣＰ／ＤＮＳサーバＳＶへ自ＩＰアドレスの取得要求、保守用ＩＰ電話交換機情報の取得要求を送信する（図６（１））。ＤＨＣＰ／ＤＮＳサーバＳＶは、これら取得要求を受信すると、これら取得要求に応じてＩＰ電話交換機ＥＸ２に対しＩＰアドレスとＩＰ電話交換機ＥＸ１の情報を送信する（図６（２））。
【００３９】
ＩＰ電話交換機ＥＸ２は、ＤＨＣＰ／ＤＮＳサーバＳＶからＩＰアドレスとＩＰ電話交換機ＥＸ１の情報を受信し、自ＩＰアドレス、保守用ＩＰ電話交換機情報を設定する（図６（３））。
【００４０】
続いて、ＩＰ電話交換機ＥＸ２は、ＩＰ電話交換機ＥＸ１に対し端末種別、ＩＰアドレス、ＭＡＣアドレスを含む登録要求を送信する（図６（４））。
【００４１】
ＩＰ電話交換機ＥＸ１の制御部１２は、ＩＰ電話交換機ＥＸ２からの登録要求を受信すると（ステップＳＴ７ａ）、登録要求にホスト名情報が付加されているか否かの判断を行う（ステップＳＴ７ｂ）。
【００４２】
ここで、ホスト名情報が付加されていない場合（Ｎｏ）、制御部１２は登録要求に付加されているＭＡＣアドレスを取得する（ステップＳＴ７ｃ）。そして、制御部１２はホスト名管理テーブル１３１を参照して（ステップＳＴ７ｄ）、該当するＭＡＣアドレスがあるか否かの判断を行う（ステップＳＴ７ｅ）。
【００４３】
この例では、ＩＰ電話交換機ＥＸ２は初めて登録を行うので、制御部１２はホスト名登録テーブル１３２の中から空きのホスト名情報「Exchange 1」を読み出し（ステップＳＴ７ｆ）、このホスト名情報「Exchange 1」を機器名、ＩＰアドレス、ＭＡＣアドレスに対応付けてホスト名管理テーブル１３１に登録し（図６（５）、ステップＳＴ７ｇ）、ＩＰ電話交換機ＥＸ２に対し登録したホスト名情報を含む登録応答を通知する（図６（６）、ステップＳＴ７ｈ）。
【００４４】
以後、登録応答を受信したＩＰ電話交換機ＥＸ２は、通知されたホスト名を自ホスト名として記録する（図６（７））。
【００４５】
なお、ホスト名付与の方法としては、装置毎にＩＰ電話交換機であれば、Exchange1、Exchange2、…、エンドポイントであれば、Endpoint1、Endpoint2、…IP電話機であれば、IP-Terminal1、IP-Terminal2、…というようにシステムでユニークとなるように付与を行う方法や、装置を区別せずに、接続してきた順に連番で、Device1、Device2、・・・というようにシステムでユニークとなるように付与を行う方法とがある。
【００４６】
また、上記ステップＳＴ７ｅにおいて、ホスト名管理テーブル１３１中に該当するＭＡＣアドレスがある場合に（Ｙｅｓ）、制御部１２はホスト名管理テーブル１３１からＭＡＣアドレスに対応するホスト名情報を読み出し（ステップＳＴ７ｉ）、ステップＳＴ７ｈの処理に移行する。さらに、上記ステップＳＴ７ｂにおいて、ＩＰ電話交換機ＥＸ２から送られる登録要求にホスト名情報が付加されている場合、制御部１２はそのまま処理を終了する。
【００４７】
なお、ＩＰ電話交換機ＥＸ３、ＩＰ電話端末Ｔ１〜Ｔｎ，保守用端末ＰＣ１及びエンドポイントＥＰ１，ＥＰ２についても上述したＩＰ電話交換機ＥＸ２と同じ流れで登録が行われることになるが、エンドポイントが、保守用のＩＰ電話交換機ＥＸ１ではないＩＰ電話交換機ＥＸ２へ登録を行った時、ＩＰ電話交換機ＥＸ２がそのエンドポイントの情報を持っていない場合、ＩＰ電話交換機ＥＸ２は、保守用のＩＰ電話交換機ＥＸ１に通知を行い、これによりエンドポイントの登録を行う。
【００４８】
以上のように上記第１の実施形態では、ＩＰ電話交換機ＥＸ１において、例えばホスト名情報が未登録のＩＰ電話交換機ＥＸ２からホスト名管理テーブル１３１に対する登録要求を受信した時に、予め複数のホスト名情報が登録されたホスト名登録テーブル１３２の中の空きのホスト名情報を読み出すことでＩＰ電話交換機ＥＸ２のホスト名情報を自動で生成し、このホスト名情報をＩＰ電話交換機ＥＸ２の機器名、ＭＡＣアドレス及びＩＰアドレスに対応付けてホスト名管理テーブル１３１に登録するようにしている。
【００４９】
従って、ＤＨＣＰ／ＤＮＳサーバＳＶへの手動での登録も最小限で済み、これによりシステムの構築が容易となる。
【００５０】
また、上記第１の実施形態では、ホスト名情報とＭＡＣアドレスとを対応付けてホスト名管理テーブル１３１に登録するようにしているので、ＩＰ電話交換機ＥＸ１において、登録要求を受信するごとに同一のＭＡＣアドレスがホスト名管理テーブル１３１に登録されているか否かを判断でき、同一のＭＡＣアドレスが無い場合にはホスト名登録テーブル１３２の中から空きのホスト名情報を読み出し、一方同一のＭＡＣアドレスがある場合にはホスト名管理テーブル１３１中の該ＭＡＣアドレスに対応するホスト名情報を用いるというように、登録要求を行う装置ごとに適切なホスト名情報の付与を行うことができる。
【００５１】
さらに、上記第１の実施形態では、ＩＰ電話交換機ＥＸ２において、ＩＰ電話交換機ＥＸ１からの登録応答により登録されたホスト名情報を確認することができ、このホスト名情報を記録しておくことで、次回の登録時にはその記録したホスト名情報を用いることができる。
【００５２】
（第２の実施形態）  
図８は、この発明の第２の実施形態として、ＩＰ電話交換機ＥＸ１の機能構成を示すブロック図である。なお、図８において、上記図２と同一部分には同一符号を付して詳細な説明を省略する。
【００５３】
すなわち、ホスト名生成制御部１２１は、例えばＩＰ電話交換機ＥＸ２についてのホスト名管理テーブル１３１に対する登録要求が発生した時に、登録要求にホスト名が含まれていない場合に、登録要求に含まれているＭＡＣアドレスに基づいて、ホスト名管理テーブル１３１を参照し、同一のＭＡＣアドレスがホスト名管理テーブル１３１上に存在しない場合に、タイマ１４で計時される日時情報からホスト名情報を生成する。
【００５４】
ホスト名登録制御部１２２は、図９に示すように、上記ホスト名生成制御部１２１により生成されたホスト名情報をＩＰ電話交換機ＥＸ２の機器名、ＭＡＣアドレス及びＩＰアドレスに対応付けてホスト名管理テーブル１３１に登録する。ここで、登録要求の受信時にタイマ１４で計時される日時が「西暦２０ＸＸ年９月１６日１３時３５分１０秒」である場合に、ホスト名生成制御部１２１は、「ＸＸ０９１６１３３５１０」をホスト名情報として生成する。
【００５５】
以上のように上記第２の実施形態では、ＩＰ電話交換機ＥＸ１において、タイマ１４で計時される日時情報を用いてホスト名情報を自動で生成するようにしているので、簡単な手順により他のホスト名と重なることなくホスト名情報を自動で生成することができる。
【００５６】
（その他の実施形態）  
なお、この発明は上記各実施形態に限定されるものではない。例えばホスト名の自動生成の条件の判断に、機器製品番号等を用いるものであってもよい。
【００５７】
その他、システム構成、保守用のＩＰ電話交換機の機能構成、ホスト名情報の条件の種類、ホスト名情報の登録制御手順とその内容等についても、この発明の要旨を逸脱しない範囲で種々変形して実施できる。また、ＤＨＣＰサーバを用いない形態であってもよい。
【符号の説明】
【００５８】
１…ＩＰ網、１１…ＩＰ網インタフェース部、１２…制御部、１３…記憶部、１４…タイマ、１２１…ホスト名生成制御部、１２２…ホスト名登録制御部、１２３…ホスト名通知部、１３１…ホスト名管理テーブル、１３２…ホスト名登録テーブル、ＥＸ１〜ＥＸ３…ＩＰ電話交換機、Ｔ１〜Ｔｎ…ＩＰ電話端末、ＳＶ…ＤＨＣＰ／ＤＮＳサーバ、ＥＰ１，ＥＰ２…エンドポイント、ＰＮＷ…公衆網。
【図１】
2010178141.tif 000003
【図２】
2010178141.tif 000004
【図３】
2010178141.tif 000005
【図４】
2010178141.tif 000006
【図５】
2010178141.tif 000007
【図６】
2010178141.tif 000008
【図７】
2010178141.tif 000009
【図８】
2010178141.tif 000010
【図９】
2010178141.tif 000011